(57)【要約】【課題】既存の鉄筋コンクリート造の建物の陸屋根に、陸屋根面に敷設された防水層を損傷することなく確実に太陽電池パネルを設置することができる太陽電池パネルの設置構造を提供することを課題とする。【解決手段】建物１の陸屋根１１に太陽電池パネル３を設置する設置構造において、複数の太陽電池パネル３を支える架台４を、建物１の陸屋根１１上に単に載置し、そして、陸屋根１１上に載置した架台４を、建物１の陸屋根１１を囲むパラペット２に固定するようにした。【選択図】  図１
2007285042.tif 000002
【特許請求の範囲】
【請求項１】
建物のパラペットを有する陸屋根に太陽電池パネルを設置するための構造であって、
太陽電池パネルを支える架台が、該陸屋根上に載置され、かつ、該パラペットに固定されていることを特徴とした太陽電池パネルの設置構造。
【請求項２】
前記架台が前記パラペットの一の内壁面から他の内壁面に亘る全長を有し、該架台の長手方向の両端が該パラペットに固定されている請求項１に記載の太陽電池パネルの設置構造。
【請求項３】
前記架台が、前記パラペットの内壁面に固定されたアンカーボルトと該アンカーボルトに螺合されたナットとによって該パラペットに固定されている請求項１または請求項２に記載の太陽電池パネルの設置構造。
【請求項４】
前記架台と前記パラペットとの固定部において、該架台と該パラペットの内壁面との間に、該架台の温度変化による水平方向の伸縮を許容する間隔が設けられている請求項３に記載の太陽電池パネルの設置構造。
【請求項５】
前記架台が、複数の架台ユニットと、該架台ユニット同士を連結する連結手段と、から構成されており、
該架台ユニット同士の連結部において、該架台ユニット間に各架台ユニットの温度変化による水平方向の伸縮を許容する間隔が設けられ、該連結手段が該架台ユニットの伸縮に応じて変形し得る変形部を有する請求項４に記載の太陽電池パネルの設置構造。
【発明の詳細な説明】
【技術分野】
【０００１】
本発明は、建物のパラペットを有する陸屋根に太陽電池パネルを設置するための太陽電池パネルの設置構造に関するものである。
【背景技術】
【０００２】
従来、既存の鉄筋コンクリート造の建物の陸屋根に、太陽電池パネルを設置するための設置構造として、例えば特許文献１に記載のものが知られている。しかしながら、従来の設置構造は、陸屋根面にアンカーボルト等を打ち込み、このアンカーボルトを介して太陽電池パネルの架台を陸屋根面に固定していたため、設置時に陸屋根面の防水層を損傷してしまう難点があった。また、設置後に改めて陸屋根面の防水処理を行う必要があり、設置コストが嵩む難点があった。
【特許文献１】特開２０００−１７８０２号公報
【発明の開示】
【発明が解決しようとする課題】
【０００３】
本発明は、従来の太陽電池パネルの設置構造に上記のような難点があったことに鑑みて為されたもので、建物の陸屋根面の防水層を損傷することなく確実に太陽電池パネルを設置することができる太陽電池パネルの設置構造を提供することを技術的課題とする。
【課題を解決するための手段】
【０００４】
本発明は、建物のパラペットを有する陸屋根に太陽電池パネルを設置するための構造であって、太陽電池パネルを支える架台が、該陸屋根上に載置され、かつ、該パラペットに固定されていることを特徴としている。
【０００５】
また、本発明は、前記架台が前記パラペットの一の内壁面から他の内壁面に亘る全長を有し、該架台の長手方向の両端が該パラペットに固定されていることを特徴とする。
【０００６】
更にまた、本発明は、前記架台が、前記パラペットの内壁面に固定されたアンカーボルトと該アンカーボルトに螺合されたナットとによって該パラペットに固定されていることを特徴とする。
【０００７】
更にまた、本発明は、前記架台と前記パラペットとの固定部において、該架台と該パラペットの内壁面との間に、該架台の温度変化による水平方向の伸縮を許容する間隔が設けられていることを特徴とする。
【０００８】
更にまた、本発明は、前記架台が、複数の架台ユニットと該架台ユニット同士を連結する連結手段とから構成されており、該架台ユニット同士の連結部において、該架台ユニット間に各架台ユニットの温度変化による水平方向の伸縮を許容する間隔が設けられ、該連結手段が該架台ユニットの伸縮に応じて変形し得る変形部を有することを特徴とする。
【発明の効果】
【０００９】
本発明に係る太陽電池パネルの設置構造によれば、太陽電池パネルを支える架台が建物の陸屋根上に載置され、そして、この架台が建物のパラペットに固定されているので、従来のように陸屋根面にアンカーボルト等を打ち込む必要がなく陸屋根面の防水層を損傷するおそれがない。
【００１０】
また、架台がパラペットの一の内壁面から他の内壁面に亘る全長を有し、架台の長手方向の両端がパラペットに固定されていれば、太陽電池パネルをより安定かつ確実に設置することができる。
【００１１】
また、架台とパラペットの内壁面との間、或いは、架台を構成する複数の架台ユニット同士の間に、架台や架台ユニットの温度変化による水平方向の伸縮を許容する間隔が設けられていれば、架台とパラペットとの固定部に大きな熱応力が繰り返し加わるのを回避することができる。
【発明を実施するための最良の形態】
【００１２】
以下、本実施形態の太陽電池パネルの設置構造１０について、図１〜図４を参照しながら説明する。
【００１３】
本実施形態の太陽電池パネルの設置構造１０は、図１に示すように、既存の鉄筋コンクリート造の建物１のパラペット２を有する陸屋根１１に太陽電池パネル３を設置するものであり、陸屋根１１面に載置され、複数の太陽電池パネル３を支えるための架台４と、この架台４を陸屋根１１の周囲に形成されたパラペット２に固定するための固定手段５と、を備えている。
【００１４】
架台４は、パラペット２の一の内壁面２１と、この内壁面２１に対面する他の内壁面２２との距離と略同じ全長を有しており、架台４の長手方向の両端がパラペット２の内壁面２１、２２に固定されている。
【００１５】
また、架台４は、図２に示すように、複数の架台ユニット４１、４２と、これら架台ユニット４１、４２同士を連結する連結手段４３とから構成されている。架台ユニット４１、４２はそれぞれ、複数の鉄骨材をボルト接合及び溶接接合して組み立てられており、陸屋根１１面に直接載置される下部フレーム４１１、４２１と、これら下部フレーム４１１、４２１にそれぞれ立設された支柱フレーム４１２、４２２と、これら支柱フレーム４１２、４２２の上端にそれぞれ傾斜状態で固定された上部フレーム４１３、４２３と、から構成されている。本実施形態の上部フレーム４１３、４２３は水勾配を有し、これら上部フレーム４１３、４２３上に、必要に応じて桟部材を介して複数の太陽電池パネル３がビス固定またはボルト固定される。また、本実施形態の連結手段４３は、鋼板材から成る連結プレート４３１により構成されている。図１及び図２に示すように、これら架台ユニット４１、４２を長手方向に並べ、架台ユニット４１、４２と連結プレート４３１とを互いにビス固定またはボルト固定することによって、架台ユニット４１、４２同士を連結して架台４を一体に構成している。
【００１６】
このように本実施形態では、パラペット２の一の内壁面２１から他の内壁面２２に亘る全長を有する架台４を、架台ユニット４１、４２同士を連結して組み立てることができるので、陸屋根１１上で架台４の組み立て作業を行うことができ、設置作業を容易化することができる。勿論、架台４を予め工場等で組み立てても良く、また、架台ユニット４１、４２自体を陸屋根１１上で組み立てても良い。
【００１７】
固定手段５は、図３及び図４に示すように、パラペット２の内壁面２１、２２に固定されたアンカーボルト５１と、このアンカーボルト５１に螺合可能なナット５２と、から構成されている。架台ユニット４１、４２の各支柱フレーム４１２、４２２には挿通孔が開設されており、この挿通孔に、内壁面２１、２２に固定したアンカーボルト５１を挿通した後、アンカーボルト５１にナット５２を螺合して締結することによって、架台４の両端がパラペット２の内壁面２１、２２にそれぞれ固定される。
【００１８】
このように本実施形態の太陽電池パネルの設置構造１０にあっては、太陽電池パネル３を支える架台４が建物１の陸屋根１１上に単に載置され、そして、この架台４が建物１のパラペット２に固定されているので、従来のように陸屋根面にアンカーボルト等を打ち込む必要がなく陸屋根１１面の防水層を損傷するおそれがない。
【００１９】
しかも、本実施形態では、架台４がパラペット２の一の内壁面２１から他の内壁面２２に亘る全長を有し、架台４の長手方向の両端がそれぞれパラペット２の内壁面２１、２２に固定されているので、架台４を安定かつ確実に設置することができる。なお、本実施形態では、架台４をパラペット２の互いに対面する内壁面２１、２２に固定しているが、架台をパラペットの互いに隣り合う内壁面に固定するようにしても良い。また、架台をパラペットの三以上の内壁面に固定して太陽電池パネルの設置安定性、確実性を高めるようにしても良い。
【００２０】
以上、本実施形態の太陽電池パネルの設置構造１０について説明したが、本発明はその他の形態でも実施することができる。
【００２１】
例えば、図５に示す太陽電池パネルの設置構造２０のように、架台４とパラペット２との固定部において、架台４の端部たる支柱フレーム４１２とパラペット２の内壁面２１との間に、架台４の温度変化による水平方向の伸縮を許容する間隔Ａを設けても良い。架台４は、太陽光の直射、或いは昼夜若しくは季節の気温変化等により、その温度が変化して伸縮を繰り返す。太陽電池パネルの設置構造２０は、この温度変化による架台４の水平方向の伸縮を許容する間隔Ａを設けているので、架台４の両端において架台４とパラペット２との固定部に大きな熱応力が繰り返し加わるのを回避することができる。間隔Ａの大きさは、架台４の材質、全長、想定される温度変化等を考慮して適宜に設定することができる。架台４の両端に間隔Ａを設けるようにしても良い。
【００２２】
また、図６に示す太陽電池パネルの設置構造３０のように、架台４の架台ユニット４１、４２同士の連結部において、架台ユニット４１、４２間に各架台ユニット４１、４２の温度変化による水平方向の伸縮を許容する間隔Ｂを設け、さらに架台ユニット４１、４２同士を連結する連結手段４４に、各架台ユニット４１、４２の伸縮に応じて変形する変形部４５を設けても良い。ここでは、連結手段４４として、鋼板材から成る連結プレート４４１を採用し、この連結プレート４４１のほぼ中央に、架台ユニット４１、４２間の隙間に沿った縦方向の湾曲軸をもつ湾曲形状の変形部４５を形成している。この連結プレート４４１の変形部４５によって、架台ユニット４１、４２同士を連結しながら、架台４とパラペット２との固定部に大きな熱応力が繰り返し加わるのを回避することができる。
【００２３】
更にまた、上記実施形態では、図１に示すように、架台ユニット４１の上部フレーム４１３と架台ユニット４２の上部フレーム４２３とが一直線状に並ぶように架台４を構成しているが、架台全体の形状は決してこれに限定されるものではない。例えば、図７に示す太陽電池パネルの設置構造４０のように、架台ユニット６１の上部フレーム６１３と架台ユニット６２の上部フレーム６２３とが鋸歯状に並ぶように架台６を構成しても良い。これら架台ユニット６１、６２同士は、連結プレートから成る固定手段６３により連結されている。
【００２４】
更にまた、図８に示す太陽電池パネルの設置構造５０のように、太陽電池パネル３が固定された架台ユニット７１と、太陽電池パネルを固定しない架台ユニット７２、７２とを連結することによって架台７を構成しても良い。これら架台ユニット７１、７２同士は、連結プレートから成る固定手段７３により連結されている。また、太陽電池パネルが固定される上部フレームの陸屋根面からの高さ、陸屋根面に対する傾斜角度、傾斜の方向等については、太陽電池パネルの設置場所を考慮して種々の設計変更が可能である。図８に示す太陽電池パネルの設置構造５０においては、太陽電池パネル３が南向きで約３０度の傾斜角度を保つように架台ユニット７１を構成している。
【００２５】
また、本発明はその趣旨を逸脱しない範囲内で、当業者の知識に基づいて種々の改良、修正、変形を加えた態様で実施し得るものであり、同一の作用又は効果が生じる範囲内で、いずれかの発明特定事項を他の技術に置換した形態で実施しても良く、一体に構成されている発明特定事項を複数の部材から構成したり、複数の部材から構成されている発明特定事項を一体に構成した形態で実施しても良い。
【図面の簡単な説明】
【００２６】
【図１】本発明の実施形態の太陽電池パネルの設置構造の概略側面図である。
【図２】同設置構造の架台の構成を説明する分解斜視図である。
【図３】同設置構造の要部拡大側面図である。
【図４】同設置構造の要部拡大側面図である。
【図５】本発明の変形例の太陽電池パネルの設置構造の要部拡大側面図である。
【図６】本発明の他の変形例の太陽電池パネルの設置構造の架台の構成を説明する分解斜視図である。
【図７】本発明の更に他の変形例の太陽電池パネルの設置構造の側面図である。
【図８】本発明の更に他の変形例の太陽電池パネルの設置構造の側面図である。
【符号の説明】
【００２７】
１０、２０、３０、４０、５０  太陽電池パネルの設置構造
１  建物
１１  陸屋根
２  パラペット
２１、２２  パラペットの内壁面
３  太陽電池パネル
４、６  架台
４１、４２、６１、６２、７１、７２  架台ユニット
４３、６３、７３  連結手段
４４  変形部
５  固定手段
５１  アンカーボルト
５２  ナット
Ａ、Ｂ  間隔
【図１】
2007285042.tif 000003
【図２】
2007285042.tif 000004
【図３】
2007285042.tif 000005
【図４】
2007285042.tif 000006
【図５】
2007285042.tif 000007
【図６】
2007285042.tif 000008
【図７】
2007285042.tif 000009
【図８】
2007285042.tif 000010